(57)【要約】      （修正有）【課題】依頼者（供養者）の指定場所まで遺骨を運搬し、その遺骨の前で供養を行うことが可能な移動式供養車両を提供する。【解決手段】移動式供養車両１０は、遺骨の納められた骨壺２１１を配置する骨壺配置部２１０並びに供養用物品によって装飾される祭壇部２２０を収容する収容部２００を含み、骨壺配置部２１０は、収容部２００に複数配置され、供養の際、供養が行われる被供養者の骨壺２１１が、骨壺配置部２１０から祭壇部２２０へ移設されることを特徴とする。【選択図】図１
0003194452.tif 000002
【実用新案登録請求の範囲】
【請求項１】
遺骨の納められた骨壺を配置する骨壺配置部並びに供養用物品によって装飾される祭壇部を収容する収容部を含む移動式供養車両であって、
供養者の指定場所まで骨壺を運搬することが可能であり、
前記骨壺配置部は、前記収容部に複数配置され、
供養の際、前記骨壺配置部に収められた複数の骨壺のうち、供養が行われる被供養者の骨壺が、前記骨壺配置部から前記祭壇部へ移設されることを特徴とする移動式供養車両。
【請求項２】
前記収容部は、前記骨壺配置部の配置スペースと、前記祭壇部の配置スペースとを区分けする仕切部を更に含む請求項１に記載の移動式供養車両。
【請求項３】
前記収容部に、前記祭壇部が複数収容されると共に、
前記複数の骨壺配置部及び前記祭壇部のうち、それぞれ一つずつが、各々上下積み重なって配置される請求項１に記載の移動式供養車両。
【請求項４】
前記祭壇部の前面が、前記収容部の背部側を向くよう、
前記祭壇部が配置される請求項１に記載の移動式供養車両。
【請求項５】
前記祭壇部は、被供養者の情報を表示する表示部を含み、
供養者の供養の際、前記表示部に被供養者の情報が表示される請求項１から４のいずれか一項に記載の移動式供養車両。
【考案の詳細な説明】
【技術分野】
【０００１】
本考案は、移動式供養車両に関する。
【背景技術】
【０００２】
近年、人口の都市集中、核家族化、並びに少子高齢化等を理由に、日本の社会構造や日本人の生活様式が大きく変化している。このような状況下、高齢者の占める割合の急速な増加が、社会問題化している。その中の一つとして、先祖等の遺骨が埋葬される墓の管理者が高齢となり、墓の設置されている墓地・霊園（以下、「墓地等」という。）まで定期的に墓参りを行うことができないといった、墓の管理維持に係る問題がある。
【０００３】
この問題を解決するため、いわゆる墓参り代行事業が提供され、普及している。この墓参り代行事業は、依頼者（例えば、墓の管理者）から委託を受けた墓地等の管理会社や専門の事業者等が、墓内に埋葬される故人の供養や、墓周辺の清掃等を依頼者に代わって行う事業である。
【考案の概要】
【考案が解決しようとする課題】
【０００４】
しかしながら、上記墓参り代行事業では、墓の管理者が直接墓参りを行わないため、故人の遺骨の前で供養を行いたいと考える者の要求を満たすことができない。特に、墓地等が遠方にあり、依頼者の身体的な理由などで、墓参りを行いたくても行うことができないといった場合、故人に対して直接供養を行いたいとする要望が強い傾向にある。
【０００５】
上記課題に鑑み、本考案は、依頼者（供養者）の指定場所（例えば、供養者の自宅等）まで遺骨を運搬し、依頼者（供養者）が、遺骨の前で直接供養を行うことが可能な移動式供養車両を提供することを目的とする。
【課題を解決するための手段】
【０００６】
前記課題を解決するための本考案に係る移動式供養車両は、
遺骨の納められた骨壺を配置する骨壺配置部並びに供養用物品によって装飾される祭壇部を収容する収容部を含み、
供養者の指定場所まで骨壺を運搬することが可能であり、
前記骨壺配置部は、前記収容部に複数配置され、
供養の際、前記骨壺配置部に収められた複数の骨壺のうち、供養が行われる被供養者の骨壺が、前記骨壺配置部から前記祭壇部へ移設されることを特徴とする。
【０００７】
ここで、前記収容部は、前記骨壺配置部の配置スペースと、前記祭壇部の配置スペースとを区分けする仕切部を更に含んでもよい。また、前記収容部に、前記祭壇部が複数収容されると共に、前記複数の骨壺配置部及び前記祭壇部のうち、それぞれ一つずつが、各々上下積み重なって配置されてもよい。更に、前記祭壇部の前面が、前記収容部の背部側を向くよう、前記祭壇部が配置されてもよい。
【０００８】
ここで、前記祭壇部は、被供養者の情報を表示する表示部を含み、供養者の供養の際、前記表示部に被供養者の情報が表示されることが好ましい。
【考案の効果】
【０００９】
本考案によれば、依頼者（供養者）の指定場所（例えば、供養者の自宅等）まで遺骨を運搬可能であると共に、供養用物品によって装飾される祭壇部を備え、遺骨の前で直接供養を行うことが可能な環境を設けることで、依頼者（供養者）が直接故人の供養を行いたいという要望に応えることができる。
【図面の簡単な説明】
【００１０】
【図１】第一実施形態に係る移動式供養車両の全体斜視図。
【図２】第一実施形態に係る移動式供養車両に備わる骨壺配置部の正面図。
【図３】骨壺配置部の断面図。
【図４】第一実施形態に係る移動式供養車両に備わる祭壇部の正面図。
【図５】第一実施形態に係る移動式供養車両の上面図。
【図６】第二実施形態に係る移動式供養車両の全体斜視図。
【図７】第二実施形態に係る移動式供養車両に備わる骨壺配置部及び祭壇部の正面図。
【図８】第二実施形態に係る移動式供養車両の上面図。
【図９】第三実施形態に係る移動式供養車両の全体斜視図。
【図１０】第三実施形態に係る移動式供養車両の側面図。
【図１１】第三実施形態に係る移動式供養車両の側面図。
【図１２】供養者の自宅等に搬出された状態の骨壺配置部及び祭壇部を示す図。
【図１３】第三実施形態に係る移動式供養車両の上面図。
【図１４】第四実施形態に係る移動式供養車両の全体斜視図。
【図１５】第四実施形態に係る移動式供養車両の上面図。
【図１６】第四実施形態に係る移動式供養車両を背部側から見た図。
【考案を実施するための形態】
【００１１】
以下、図面を参照して本考案の望ましい実施形態を詳細に説明する。但し、本考案は多くの異なる態様で実施することが可能であり、以下に示す実施の形態の記載内容に限定して解釈されるものではない。
【００１２】
本考案に係る移動式供養車両は、供養者の指定場所（例えば、供養者の自宅など）に被供養者の遺骨を収めた骨壺を運搬する。それに加えて、本考案に係る移動式供養車両は、後述する祭壇部などの供養用設備を備える。そのため、供養者が、本考案に係る移動式供養車両の内部、あるいはその外周域等の所定場所で被供養者の供養を行うことが可能である。以下、本考案に係る移動式供養車両の実施形態を詳細に説明する。
【００１３】
（第一の実施形態）
まず、図１から図５を参照して、本考案に係る移動式供養車両の第一実施形態について詳細に説明する。図１は、本実施形態に係る移動式供養車両１０の全体斜視図、図２は、移動式供養車両１０に備わる骨壺配置部２１０の正面図、図３は、骨壺配置部２１０の断面図、図４は、移動式供養車両１０に備わる祭壇部２２０の正面図、図５は、本実施形態に係る移動式供養車両１０の上面図である。
【００１４】
図１に示されるように、本実施形態に係る移動式供養車両１０は、運転席等が配置される運転操作部１００と、運転操作部１００と連結する収容部２００とを含む。本実施形態では、移動式供養車両１０として、重量の大きい荷物・貨物を運搬可能なトラックを用いている。また、運転操作部１００として、キャビンが想定され、収容部２００として、トラックボデーが想定される。更に、本実施形態に係る移動式供養車両１０は、補助電源等として活用可能なソーラーパネル３００を備えることが好ましい。ソーラーパネル３００は、収容部２００の上面に設置されている。
【００１５】
後述するように、本実施形態において、供養者は、主に収容部２００の内部に入室し、被供養者の供養を行う。従って、供養者が快適に供養を行える環境を整えるため、収容部２００には、冷暖房設備（図示しない）や換気扇３１０を備えることが好ましい。そのため、これらの設備を駆動させるための車両バッテリー以外の発電手段として、ソーラーパネル３００を備えることが好ましい。
【００１６】
収容部２００の内部には、遺骨の納められた骨壺２１１を配置する骨壺配置部２１０、供花、線香、位牌といった供養用物品によって装飾される祭壇部２２０等が、収容配置される。図１に示すように、一度により多くの遺骨を運搬するため、収容部２００には、複数の骨壺配置部２１０が収容される。本実施形態では、複数の骨壺配置部２１０が、横に隣接して配列されると共に、各骨壺配置部２１０の上に別の骨壺配置部２１０が積み重なって配置される。図１では、横４つ、縦（上下）２つの計８つ骨壺配置部２１０が収容されている。ただし、骨壺配置部２１０の収容数や配置方法は、これに限られるものではない。
【００１７】
本実施形態では、供養者の供養スペースを広く設けるため、収容部２２０の内部において、骨壺配置部２１０を配置する領域と祭壇部２２０を配置する領域とを分けて設けている。具体的には、図１に示すように、骨壺配置部２１０は、収容部２００内の前端部に接するように配置され、祭壇部２２０は、収容部２００内の背部側に配置される。ここで、複数の骨壺配置部２１０を配置する領域には、供養者が供養を希望する故人以外の遺骨（骨壺）が収められた骨壺配置部２１０も配置されている。そこで、上記の祭壇部２２０の配置領域から、骨壺配置部２１０の配置領域を視認できないようにするための仕切部２３０を、収容部２００内に設けてもよい。これにより、供養者は、関連のない別の故人の遺骨（骨壺）の存在を意識することなく、被供養者のみの供養に集中することができる。
【００１８】
また、収容部２００の所定箇所に、供養者の出入口２４０を設けてもよい。本実施形態では、収容部２００の側面パネルの一部領域を開閉可能とし、当該領域の開スペースが、供養者の出入口２４０として用いられる。ここで、高齢の供養者が多いことを想定して、図１に示すように、出入口２４０用に開かれた側面パネルを、車椅子用のスロープ２４１として用いてもよい。更に、同じく図１に示すように、出入口２４０用に開かれた側面パネルの内側部分を、階段形状２４２のように加工してもよい。これにより、特に高齢の供養者にとっての、収容部２２０への出入動作に対する障壁を緩和させることができる。
【００１９】
次に、図２及び図３を用いて、本実施形態に係る骨壺配置部２１０の詳細を説明する。図２（ａ）は、上記のような配置方法で、複数の骨壺配置部２１０が、配列された状態を示す図である。また、図２（ｂ）は、各骨壺配置部２１０の内部を示す図である。
【００２０】
図２に示されるように、被供養者の遺骨が納められる骨壺２１１は、移動式供養車両１０によって運搬される際、骨壺配置部２１０内に収納される。本実施形態では、骨壺配置部２１０は、骨壺２１１が載置される骨壺載置台２１２と、骨壺２１１が骨壺配置部２１０の内壁と衝突し破損する等の事態を防ぐためのエアバック２１３を備えている。ここで、骨壺載置台２１２には、祭壇部２２０等への骨壺２１１の移設作業を支援するための車輪２１２Ａが、設けられることが好ましい。これにより、供養を行うための設営作業の負担を軽減させることができる。
【００２１】
また、本実施形態に係る骨壺配置部２１０は、複数の骨壺収納スペース２１４を備える（図２では、上下２つ。）。上記の骨壺載置台２１２、エアバック２１３等は、この骨壺収納スペース２１４内に収められる。これにより、より多くの骨壺２１１を一度に運搬することができる。なお、本実施形態では、図２に示されるように、エアバック２１３は、骨壺２１１の上下左右に各１つずつ配置されている。
【００２２】
次に、図３（ａ）は、図２に示される骨壺配置部２１０のＡ−Ａ断面図、図３（ｂ）は、同じく骨壺配置部２１０のＢ−Ｂ断面図である。図３（ａ）に示されるように、骨壺収納スペース２１４の底部に、骨壺載置台２１２の車輪２１２Ａを係止するストッパー２１５が備えられる。その結果、移動式供養車両１０によって運搬される際の振動や衝撃等で、骨壺２１１が、骨壺配置部２１１の外側へ飛び出すなどの事態を避けることができる。本実施形態では、骨壺収納スペース２１４の底部に、設置位置の異なる２種類のストッパー２１５を設けることで、より強固に骨壺２１１の飛び出しを防ぐことができる。
【００２３】
なお、図３（ｂ）に示されるように、骨壺２１１の上下左右に配置されたエアバック２１３に加えて、骨壺２１１の前方及び後方にそれぞれ１つずつエアバック２１３を配置するようにしてもよい。これにより、運搬中の骨壺２１１の破損等の可能性を更に低下させることができる。
【００２４】
次に、図４を用いて、本実施形態に係る祭壇部２２０の詳細を説明する。祭壇部２２０は、被供養者の骨壺２１１や供物等の供養用物品を設置するための供養用物品設置部２２１と、被供養者の生前時の画像や映像等の被供養者に係わる情報を表示する表示部２２２を含む。本実施形態に係る祭壇部２２０は、更に表示部２２２を所定位置に支持するための表示部支持部材２２３を備える。ここで、本実施形態では、表示部２２２として、液晶ディスプレー等のフラットパネルディスプレーが用いられる。ただし、同様の作用を実現できるものであれば、これに限られるものではない。
【００２５】
供養の際、骨壺配置部２１０に収められる骨壺２１１のうち、人的又は機械的な作業によって、被供養者の遺骨が納められた骨壺２１１を移設し、供養用物品設置部２２１上に設置する。併せて、所定の人的又は電子的制御手段によって、表示部２２２に被供養者の情報の表示をコントロールする。このような状態で祭壇部２２０の設営を行った上で、図５に示されるように、供養者が、収容部２００内に入室し、供養を行う。
【００２６】
なお、図５では、一人の供養者が、収容部２００に入室し供養を行っている状態が示されているが、複数の供養者が、収容部２００に入室することも可能である。この場合、祭壇部２２０が配置される領域のうち、いずれの物品等も設置されていない部分に座席等を設置してもよい。これにより、当該座席に順番を待っている供養者を待機させることができ、供養運営等を円滑に行うことができる。
【００２７】
（第二の実施形態）
次に、図６から図８を参照して、本考案に係る移動式供養車両の第二実施形態について詳細に説明する。なお、上記の第一実施形態と同一部分について同一の符合を付すと共に、詳細な説明は省略するものとする。
【００２８】
図６は、本実施形態に係る移動式供養車両２０の全体斜視図、図７は、移動式供養車両２０に備わる骨壺配置部６１０及び祭壇部６２０の正面図、図８は、本実施形態に係る移動式供養車両２０の上面図である。ここで、本実施形態に係る移動式供養車両２０として、上記第一実施形態と同様、重量の大きい荷物・貨物を運搬可能なトラックを用いている。
【００２９】
図６に示されるように、本実施形態では、収容部２００内に、骨壺配置部６１０が複数配置されていると共に、祭壇部６２０も複数配置されている。また、各骨壺配置部６１０及び各祭壇部６２０が、上下２段に組み合わさった（積み重なった）状態で配置される。このとき、各々の祭壇部６２０は、これと組み合わされた状態で配置される骨壺配置部６１０内の骨壺２１１の供養専用に用いることが想定される。具体的には、図６に示されるように、下側に骨壺配置部６１０を、上側に祭壇部６２０を配置する場合、骨壺配置部６１０に収められた骨壺２１１は、供養の際に、その直上の祭壇部６２０に移設される。ただし、骨壺配置部６１０及び祭壇部６２０の配置方法や骨壺２１１の移設等に係わる供養方式は、これに限られるものではない。
【００３０】
供養の際、図７に示されるように、骨壺配置部２１０に収められた骨壺２１１は、これに積み重なった状態で配置される祭壇部６２０の供養用物品設置部６２１に移される。このとき、祭壇部６２０の表示部６２２には、移された骨壺２１１内の被供養者の情報が表示される。
【００３１】
このように、骨壺配置部６１０及び祭壇部６２０を、各々積み重ねて配置させることで、図８に示されるように、供養者の入室スペースを、上記の第一実施形態の場合よりも広く確保することができる。その結果、供養の際、より多くの供養者を収容部２００に入室させることができる。なお、以下の他の実施形態において、上記のように、各々積み重なった状態にある骨壺配置部と祭壇部とを用いて説明を行う場合、「骨壺配置部６１０」、「祭壇部６２０」と表記するものとする。これとは異なり、上記第一実施形態のように、位置的に分離された状態にある骨壺配置部と祭壇部とを用いて説明を行う場合、「骨壺配置部２１０」、「祭壇部２２０」と表記するものとする。
【００３２】
（第三の実施形態）
次に、図９から図１３を参照して、本考案に係る移動式供養車両の第三実施形態について詳細に説明する。なお、上記の第一及び第二実施形態と同一部分について同一の符合を付すと共に、詳細な説明は省略するものとする。
【００３３】
図９は、本実施形態に係る移動式供養車両３０の全体斜視図、図１０及び図１１は、本実施形態に係る移動式供養車両３０の側面図、図１２は、供養者の自宅等に搬出された状態の骨壺配置部６１０−２及び祭壇部６２０−２を示す図、図１３は、本実施形態に係る移動式供養車両３０の上面図である。ここで、本実施形態に係る移動式供養車両３０として、キャンピングカーを用いている。
【００３４】
本実施形態に係る移動式供養車両３０は、上記第一及び第二の実施形態と同様、運転操作部１００、収容部２００を備えることに加え、収容部２００と接続し、運転操作部１００の上方側に延出するよう取り付けられる延出部７００を含むことが好ましい。また、延出部７００内は、空洞に加工されることが好ましい。これにより、図１１に示されるように、延出部７００内部に、供養者の自宅内などに搬出可能な仏壇・祭壇等を収納することができる。本実施形態では、延出部７００の内部寸法等による収納上の制限を考慮し、当該延出部７００内に収められる骨壺配置部６１０−２及び祭壇部６２０−２は、収容部２００に配置される骨壺配置部６１０及び祭壇部６２０に比べて、小型のものとしている。
【００３５】
上記のように、延出部７００内に骨壺配置部６１０−２及び祭壇部６２０−２を収納可能とすることで、これらを供養者の自宅内等へ容易に搬出することができる（図１２参照）。これにより、道路交通法や周辺環境等の影響で、移動式供養車両３０を供養者の指定場所（例えば、自宅など）近隣に駐車させることができず、移動式供養車両３０内で供養を行えない場合であっても、設営作業上の特段の負担を掛けずに、当該供養指定場所内で供養を行うことができる。なお、本実施形態においても、図１３に示されるように、収容部２００内に配置された骨壺配置部６１０及び祭壇部６２０を用いて、移動式供養車両３０内で供養を行うことができることはもちろんである。
【００３６】
本実施形態に係る移動式供養車両３０は、キャンピングカーを用いることが想定されるため、多くの場合、収容部２００の寸法が、上記第一及び第二の実施形態に係る収容部よりも小さい。そのため、図１０及び図１１に示されるように、骨壺配置部６１０及び祭壇部６２０を、各々上下積み重ねて配置させることが好ましい。
【００３７】
（第四の実施形態）
次に、図１４から図１６を参照して、本考案に係る移動式供養車両の第四実施形態について詳細に説明する。なお、上記の第一から第三実施形態と同一部分について同一の符合を付すと共に、詳細な説明は省略するものとする。
【００３８】
図１４は、本実施形態に係る移動式供養車両４０の全体斜視図、図１５は、本実施形態に係る移動式供養車両４０の上面図、図１６は、本実施形態に係る移動式供養車両４０を背部側から見た図である。ここで、本実施形態に係る移動式供養車両４０として、ワゴン車を用いている。
【００３９】
図１４に示されるように、移動式供養車両４０に係る骨壺配置部２１０は、収容部２００の内部に配置される。また、ワゴン車の場合、図１４に示されるように、背部のドアが上方に向かって大きく開く。そのため、祭壇部２２０を収容部２００の背部領域に配置すると共に、その前面が収容部２００の背部側に向かうよう配置させることが好ましい。
【００４０】
図１５に示されるように、供養者は、収容部２００内に入室せず、収容部２００背部の外周域に立ち、供養を行うことも可能である。この場合、特に図１６に示されるように、供養者の日避け又は雨避け用の屋根８００を設けてもよい。本実施形態では、屋根８００として、ビニール製、樹脂製、又は布製等のターフを用いている。ただし、これに限られるものではない。
【符号の説明】
【００４１】
１０，２０，３０，４０  移動式供養車両
１００                  運転操作部
２００                  収容部
２１０，６１０          骨壷配置部
２１１                  骨壷
２２０，６２０          祭壇部
２２１，６２１          供養用物品設置部
２２２，６２２          表示部
２３０                  仕切部
２４０                  出入口
３００                  ソーラーパネル
【図１】
0003194452.tif 000003
【図２】
0003194452.tif 000004
【図３】
0003194452.tif 000005
【図４】
0003194452.tif 000006
【図５】
0003194452.tif 000007
【図６】
0003194452.tif 000008
【図７】
0003194452.tif 000009
【図８】
0003194452.tif 000010
【図９】
0003194452.tif 000011
【図１０】
0003194452.tif 000012
【図１１】
0003194452.tif 000013
【図１２】
0003194452.tif 000014
【図１３】
0003194452.tif 000015
【図１４】
0003194452.tif 000016
【図１５】
0003194452.tif 000017
【図１６】
0003194452.tif 000018